(57)【要約】      （修正有）【課題】或る状態の間、ビークルのパワートレインに印加される負荷を低減することができる暖房換気空調（ＨＶＡＣ）を提供する。【解決手段】システムは、オン状態とオフ状態との間で作動可能な固定コンプレッサを含むことができる。システム及び方法は、エンジン水温が強制ＨＶＡＣ再循環吸入しきい値を満たすかを判別することができる。エンジン水温が強制ＨＶＡＣ再循環吸入しきい値を満たすと判別したことに応答して、エンジン水温が高水温しきい値を満たすかを判別することができる。エンジン水温が前記高水温しきい値を満たすと判別したことに応答して、ビークルピッチがビークルピッチしきい値を満たすかを判別することができる。ビークルピッチがビークルピッチしきい値を満たさないと判別したことに応答して、ＡＣカットサイクルによりコンプレッサを作動させることができる。【選択図】図３
2018065556.tif 000002
【特許請求の範囲】
【請求項１】
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を含む方法。
【請求項２】
前記ＡＣカットサイクルが第１のＡＣカットサイクルであり、前記あらかじめ定められた期間が第１のあらかじめ定められた期間であり、前記方法は更に、
前記ビークルピッチが前記ビークルピッチしきい値を満たすと判別したことに応答して、第２のＡＣカットサイクルに基づき前記コンプレッサを作動させる段階であって、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、段階、
を含む、請求項１に記載の方法。
【請求項３】
前記ビークルピッチしきい値が第１のビークルピッチしきい値であり、前記方法は更に、
前記ビークルピッチが第２のビークルピッチしきい値を満たすかを判別する段階と、
前記ビークルピッチが前記第２のビークルピッチしきい値を満たすと判別したことに応答して、第３のＡＣカットサイクルに基づき前記コンプレッサを作動させる段階であって、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、段階と、
を含む、請求項２に記載の方法。
【請求項４】
前記第１、第２、及び、第３のＡＣカットサイクルのそれぞれは、時間の関数としてコンプレッサ状態を含む、請求項３に記載の方法。
【請求項５】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しく、前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しく、前記第３のＡＣカットサイクルは、前記コンプレッサが前記第３のＡＣカットサイクルにより作動されている全継続期間にわたり、前記コンプレッサを前記オフ状態に切り換えることを含む、請求項４に記載の方法。
【請求項６】
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、請求項１に記載の方法。
【請求項７】
ビークルの暖房換気空調（ＨＶＡＣ）システムであって、
エンジン水温を測定するように作動可能な水温センサと、
ビークルピッチを測定するように作動可能なビークルピッチセンサと、
オン状態とオフ状態との間で作動可能なコンプレッサと、
前記水温センサと、前記ビークルピッチセンサと、前記コンプレッサとに作動可能に接続されたコントローラであって、前記コントローラは、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を実行するようにプログラムされたコントローラと、
を備える、システム。
【請求項８】
前記ＡＣカットサイクルが第１のＡＣカットサイクルであり、前記あらかじめ定められた期間が第１のあらかじめ定められた期間であり、前記コントローラは更に、
前記ビークルピッチが前記ビークルピッチしきい値を満たすと判別したことに応答して、第２のＡＣカットサイクルに基づき前記コンプレッサを作動させること、
を実行するようにプログラムされており、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、
請求項７に記載のシステム。
【請求項９】
前記ビークルピッチしきい値が第１のビークルピッチしきい値であり、前記コントローラは更に、
前記ビークルピッチが第２のビークルピッチしきい値を満たすかを判別することと、
前記ビークルピッチが前記第２のビークルピッチしきい値を満たすと判別したことに応答して、第３のＡＣカットサイクルに基づき前記コンプレッサを作動させることと、
を実行するようにプログラムされており、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
請求項８に記載のシステム。
【請求項１０】
前記第１、第２、及び、第３のＡＣカットサイクルのそれぞれは、時間の関数としてコンプレッサ状態を含む、請求項９に記載のシステム。
【請求項１１】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しく、前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しく、前記第３のＡＣカットサイクルは、前記コンプレッサが前記第３のＡＣカットサイクルにより作動されている全継続期間にわたり、前記コンプレッサを前記オフ状態に切り換えることを含む、請求項１０に記載のシステム。
【請求項１２】
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、請求項７に記載のシステム。
【請求項１３】
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することを含み、
前記エンジン水温が前記強制ＨＶＡＣ再循環吸入しきい値を満たすと判別したことに応答して、前記エンジン水温が高水温しきい値を満たすかを判別することを含み、
前記エンジン水温が前記高水温しきい値を満たすと判別したことに応答して、
ビークルピッチが第１のビークルピッチしきい値を満たすかを判別することと、
ビークルピッチが第２のビークルピッチしきい値を満たすかを判別することと、
を含み、
前記ビークルピッチが前記第１又は前記第２のビークルピッチしきい値を満たさないと判別したことに応答して、第１のＡＣカットサイクルに基づき前記コンプレッサを作動させることを含み、前記第１のＡＣカットサイクルは、前記コンプレッサが前記オフ状態に切り換えられている第１のあらかじめ定められた期間を含み、
前記ビークルピッチが前記第１のビークルピッチしきい値を満たしかつ前記第２のビークルピッチしきい値を満たさないと判別したことに応答して、第２のＡＣカットサイクルに基づき前記コンプレッサを作動させることを含み、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長く、
前記エンジン水温が前記第１及び第２のビークルピッチしきい値を満たすと判別したことに応答して、第３のＡＣカットサイクルに基づき前記コンプレッサを作動させることを含み、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
方法。
【請求項１４】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、請求項１３に記載の方法。
【請求項１５】
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しく、前記第３のＡＣカットサイクルは、前記コンプレッサが前記第３のＡＣカットサイクルにより作動されている全継続期間にわたり、前記コンプレッサを前記オフ状態に切り換えることを含む、請求項１４に記載の方法。
【発明の詳細な説明】
【技術分野】
【０００１】
本開示で説明される主題は、概して、ビークルの空調システムに関し、より具体的には、ビークルピッチに基づくコンプレッサカットサイクルによるビークルの空調システムの制御に関する。
【背景技術】
【０００２】
ビークルは、内部乗員室を冷却又は冷房する空調システムを含むことができる。このような空調システムは、冷媒流体を、冷却サイクル内を循環させることができる。例えば、コンプレッサは、ビークルのパワートレインによりパワー供給されることができ、冷媒蒸気をより高い圧力まで圧縮するのに用いられることができる。圧縮された冷媒は、コンデンサを通って送られることができ、コンデンサにおいて冷媒は冷却されることができる。冷却された冷媒は、エバポレータに送られることができ、エバポレータにおいて液体冷媒は、冷媒がブロワによって送られた空気から熱を受け取ると、蒸発して蒸気状態に戻る。空調システムを使用すると、コンデンサの作動を含めて、結果的に、ビークルエンジンの負荷が増大するおそれがある。
【発明の概要】
【０００３】
一観点では、本開示は、ビークルの暖房換気空調（ＨＶＡＣ）システムを作動させる方法であって、ＨＶＡＣシステムは、オン状態とオフ状態との間で作動可能なコンプレッサを含んでいる、方法を対象とする。方法は、エンジン水温が強制ＨＶＡＣ再循環吸入しきい値を満たすかを判別することを含む。エンジン水温が強制ＨＶＡＣ再循環吸入しきい値を満たすと判別したことに応答して、方法は、エンジン水温が高水温しきい値を満たすかを判別することを含む。エンジン水温が高水温しきい値を満たすと判別したことに応答して、方法は、ビークルピッチがビークルピッチしきい値を満たすかを判別することを含む。ビークルピッチがビークルピッチしきい値を満たさないと判別したことに応答して、方法は、ＡＣカットサイクルに基づきコンプレッサを作動させることを含む。ＡＣカットサイクルは、コンプレッサがオフ状態に切り換えられているあらかじめ定められた期間を含む。
【０００４】
別の観点では、本開示は、ビークルの暖房換気空調（ＨＶＡＣ）システムを対象とする。システムは、エンジン水温を測定するように作動可能な水温センサと、ビークルピッチを測定するように作動可能なビークルピッチセンサと、を含む。システムは、オン状態とオフ状態との間で作動可能なコンプレッサを含む。システムは更に、水温センサと、ビークルピッチセンサと、コンプレッサとに作動可能に接続されたコントローラを含む。コントローラは、実行可能な動作を開始するようにプログラムされることができる。動作は、エンジン水温が強制ＨＶＡＣ再循環吸入しきい値を満たすかを判別することを含む。動作は更に、エンジン水温が強制ＨＶＡＣ再循環吸入しきい値を満たすと判別したことに応答して、エンジン水温が高水温しきい値を満たすかを判別することを含む。動作は、エンジン水温が高水温しきい値を満たすと判別したことに応答して、ビークルピッチがビークルピッチしきい値を満たすかを判別することを含む。動作は、エンジン水温が第１のビークルピッチしきい値を満たすと判別したことに応答して、ＡＣカットサイクルに基づきコンプレッサを作動させることを含む。ＡＣカットサイクルは、コンプレッサがオフ状態に切り換えられているあらかじめ定められた期間を含む。
【０００５】
更に別の観点では、本開示は、ビークルの暖房換気空調（ＨＶＡＣ）システムを作動させる方法であって、ＨＶＡＣシステムは、オン状態とオフ状態との間で作動可能なコンプレッサを含んでいる、方法を対象とする。方法は、エンジン水温が強制ＨＶＡＣ再循環吸入しきい値を満たすかを判別することを含む。エンジン水温が強制ＨＶＡＣ再循環吸入しきい値を満たすと判別したことに応答して、方法は、エンジン水温が高水温しきい値を満たすかを判別することを含む。エンジン水温が高水温しきい値を満たすと判別したことに応答して、方法は更に、ビークルピッチが第１のビークルピッチしきい値を満たすかを判別することと、ビークルピッチが第２のビークルピッチしきい値を満たすかを判別することと、を含む。ビークルピッチが第１又は第２のビークルピッチしきい値を満たさないと判別したことに応答して、方法は、第１のＡＣカットサイクルに基づきコンプレッサを作動させることを含む。第１のＡＣカットサイクルは、コンプレッサがオフ状態に切り換えられている第１のあらかじめ定められた期間を含む。ビークルピッチが第１のビークルピッチしきい値を満たしかつ第２のビークルピッチしきい値を満たさないと判別したことに応答して、方法は、第２のＡＣカットサイクルに基づきコンプレッサを作動させることを含む。第２のＡＣカットサイクルは、コンプレッサがオフ状態に切り換えられている第２のあらかじめ定められた期間を含み、第２のあらかじめ定められた期間は第１のあらかじめ定められた期間よりも長い。エンジン水温が第１及び第２のビークルピッチしきい値を満たすと判別したことに応答して、方法は、第３のＡＣカットサイクルに基づきコンプレッサを作動させることを含む。第３のＡＣカットサイクルは、コンプレッサがオフ状態に切り換えられている第３のあらかじめ定められた期間を含み、第３のあらかじめ定められた期間は第２のあらかじめ定められた期間よりも長い。
【図面の簡単な説明】
【０００６】
【図１】暖房換気空調システムを有するビークルの一例を示す図である。
【図２】暖房換気空調システムの一例を示す図である。
【図３】図２の暖房換気空調システムを作動させる方法の第１の例を示す図である。
【図４】図２の暖房換気空調システムを作動させる方法の第２の例を示す図である。
【図５】第１のＡＣカットサイクルを示すグラフの例を示す図である。
【図６】第２のＡＣカットサイクルを示すグラフの例を示す図である。
【図７】第３のＡＣカットサイクルを示すグラフの例を示す図である。
【発明を実施するための形態】
【０００７】
この詳細な説明は、或る状態の間、ビークルのパワートレインに印加される負荷を低減する、ビークルの暖房換気空調（ＨＶＡＣ）システムの作動に関する。ＨＶＡＣシステムは、オフ（停止）状態とオン（作動）状態との間で作動可能なコンプレッサを含むことができる。システム及び方法は、エンジン水温が強制ＨＶＡＣ再循環吸入しきい値を満たすかを判別することができる。エンジン水温が強制ＨＶＡＣ再循環吸入しきい値を満たすと判別したことに応答して、エンジン水温が高水温しきい値を満たすかを判別することができる。エンジン水温が高水温しきい値を満たすと判別したことに応答して、ビークルピッチが１つ又はそれ以上のあらかじめ定められたしきい値を満たすかを判別することができる。ビークルピッチがビークルピッチしきい値を満たす又は満たさないと判別したことに応答して、コンプレッサは、コンプレッサが一定時間にわたり強制的にオフ状態にされるＡＣカットサイクルに従って作動されることができる。少なくともいくつかの例において、このようなシステム及び方法は、ＨＶＡＣシステムの可変コンプレッサの作動中、ビークルのパワートレインに印加される負荷を低減することができる。
【０００８】
本開示には詳細な実施態様が記載される。しかしながら、理解されるべきは、開示された実施態様は例示のみを意図している、ということである。したがって、本開示で詳細に開示される特定の構造及び機能は、限定として解釈されるべきではなく、しかしながら、単に、特許請求の範囲のための基礎として、及び、事実上、任意の適切な詳細な構造において本開示の観点を様々に採用することを当業者に教示するための代表的基礎として、解釈されるべきである。更に、本開示で使用される用語及び句は、限定を意図するものではなく、むしろ、可能な実施の理解可能な説明を提供しようとするものである。種々の実施態様が図１から図７に示されるけれども、これらの実施態様は図示された構造又は応用に限定されるものではない。
【０００９】
例示の簡易化及び明瞭化のために、適当であれば、異なる図面において、対応する又は類似の要素を示すために参照符号が繰り返されることが理解されるであろう。また、本開示に記載される実施態様の完全な理解を提供するために、多数の特定の細部が記載される。しかしながら、本開示に記載の実施態様がこれらの特定の細部なしで実施可能であることが、当業者には理解されるであろう。
【００１０】
図１を参照すると、ビークルの一例１００が示される。本開示で使用されるように、「ビークル」は任意の形態の動力化された輸送機関である。１又はそれよりも多くの実施形態では、ビークル１００は自動車であることができる。本開示では自動車に関して構成が説明されるけれども、実施態様が自動車に限定されないことが理解されるであろう。いくつかの実施形態では、ビークル１００は、船舶、飛行機、又は任意の他の形態の動力化された輸送機関であってよい。
【００１１】
ビークル１００の可能な要素のいくつかが図１に示されており、これから説明される。図１に示され又は本開示で説明された要素のすべてをビークル１００が有する必要はない、ということが理解されるであろう。ビークル１００は図１に示される種々の要素の任意の組み合わせを有することができる。更に、ビークル１００は、図１に示される要素に対し追加の要素を有することができる。いくつかの構成では、ビークル１００は、図１の要素のうちの１又はそれよりも多くを含まないかもしれない。更に、図１では種々の要素がビークル１００内に位置するものとして図示されているけれども、これらの要素のうちの１又はそれよりも多くがビークル１００の外部に位置することができる、ことが理解されるであろう。更に、図示される要素は、大きな距離をもって物理的に離間していてもよい。
【００１２】
ビークル１００は、パワーを発生するパワートレイン１０２を含むことができる。本開示で使用されるように、「パワートレイン」は、走行のためにビークル１００により使用されるパワーを発生及び／又は移送する、ビークル１００の任意のコンポーネント又はコンポーネントのグループを含むことができる。１又はそれよりも多くの構成では、パワートレイン１０２は、パワーを発生するエンジンおよびエネルギ源を含むことができる。エンジンは、任意の適切なタイプのエンジン又はモータであって、現在知られているか又は後に開発されたものであることができる。例えば、エンジンは、いくつかを単に例示すると、内燃エンジン、電気モータ、蒸気エンジン、及び／又は、スターリングエンジンであることができる。いくつかの実施態様では、エンジンは、複数のエンジンタイプを含むことができる。例えば、ガス−電気ハイブリッドビークルはガソリンエンジン及び電気モータを含むことができる。
【００１３】
エネルギ源は、少なくとも部分的にエンジンにパワー供給するのに使用可能な、任意の適切なエネルギ源であることができる。エンジンは、エネルギ源からのエネルギを機械エネルギに変換することができる。エネルギ源の例には、ガソリン、ディーゼル、プロパン、水素、他の圧縮された気体ベースの燃料、エタノール、ソーラパネル、バッテリ、及び／又は他の電力源が含まれる。代替的又は追加的には、エネルギ源は、燃料タンク、バッテリ、キャパシタ、及び／又は、フライホイールを含むことができる。いくつかの実施態様では、エネルギ源を、ビークル１００の他のシステムのためのエネルギを提供するのに用いることができる。
【００１４】
ビークル１００は、ビークル１００の電気エネルギを蓄えるバッテリ１０４を含むことができる。バッテリ１０４は、種々のビークルシステムにパワー供給するために電気エネルギを提供することができる。例えば、バッテリ１０４は、ビークル点火システム、ライト、オンボードエレクトロニクス、及び、ビークル１００内に接続された任意の他の電子デバイスにパワー供給することができる。１又はそれよりも多くの構成では、バッテリ１０４は、６つの２．１ボルトセルを含んで、名目上１２ボルトバッテリシステムを提供する、鉛酸バッテリであることができる。バッテリ１０４は、パワートレイン１０２のエンジンにより再充電されるように構成されることができる。１又はそれよりも多くの構成では、バッテリ１０４はパワートレイン１０２のためのエネルギ源を提供することができる。
【００１５】
ビークル１００は、暖房換気空調（ＨＶＡＣ）システム２００を含むことができる。ＨＶＡＣシステム２００は、ビークル１００の内部コンパートメントの環境又は雰囲気を変更することができる。ＨＶＡＣシステム２００の可能な要素のいくつかが図１に示されており、これから説明される。図１に示され又は本開示で説明された要素のすべてをＨＶＡＣシステム２００が有する必要はない、ということが理解されるであろう。ＨＶＡＣシステム２００は図１に示される種々の要素の任意の組み合わせを有することができる。更に、ＨＶＡＣシステム２００は、図１に示される要素に対し追加の要素を有することができる。
【００１６】
ＨＶＡＣシステム２００は空調（ＡＣ）システム２１０を含むことができる。ＡＣシステムは、ビークル１００の少なくとも一部のための冷房及び／又は湿度調節を可能にする任意の構成を有することができる。１又はそれよりも多くの構成では、ＡＣシステム２１０は、冷媒（図示しない）、コンプレッサ２１２、コンデンサ２１４、エバポレータ２１６、及び／又は、膨張弁２１８を含むことができる。更に、ＡＣシステム２１０は、図１に示される要素に対し追加の要素を有することができる。いくつかの構成では、ＡＣシステム２１０は、図１に示される要素のうちの１又はそれよりも多くを含まないかもしれない。ＡＣシステム２１０の種々の要素は、任意の適切な仕方で配置されることができ、かつ／又は、任意の適切な仕方で互いに作動可能に接続されることができる。
【００１７】
コンプレッサ２１２は、ＡＣシステム２１０を通る冷媒の動きを指向させること又は容易にすることができる。１又はそれよりも多くの構成では、コンプレッサ２１２は、冷媒蒸気の圧力を増加させることができる（例えば、蒸気の体積を低減することにより）。
【００１８】
コンプレッサ２１２は、ＡＣシステム２１０のための任意の適切な構成を有することができる。非限定的な例として、コンプレッサ２１２は、ロータリコンプレッサ、レシプロコンプレッサ、遠心コンプレッサ、及び／又は、軸流コンプレッサを含むことができる。コンプレッサ２１２は、ビークル１００内の任意の適切なパワー源によりパワー供給されることができる。１又はそれよりも多くの構成では、コンプレッサ２１２は、パワートレイン１０２によりパワー供給されることができる。例えば、エンジンからコンプレッサ２１２に回転エネルギを移送するのにベルトを用いることができる。代替的又は追加的には、バッテリ１０４によりパワー供給された電気モータにより、コンプレッサ２１２にパワー供給することができる。
【００１９】
１又はそれよりも多くの構成では、コンプレッサ２１２は、固定コンプレッサであることができる。本開示で使用されるように、「固定コンプレッサ」又は「固定容積コンプレッサ」は、一定の吐出能力を有する任意のコンプレッサを含むことができる。固定コンプレッサ２１２は、アクティブ化された又は「オン」状態と、非アクティブ化された又は「オフ」状態との間で切り換えられることができる。
【００２０】
コンデンサ２１４は、冷媒を冷却して液体状態に凝縮することができる。コンデンサ２１４は、ＡＣシステム２１０のための任意の適切な構成を有することができる。１又はそれよりも多くの構成では、コンデンサ２１４は、任意の形態の熱交換器であることができる。例えば、コンデンサ２１４は、コイル状のチューブを含むことができる。いくつかの構成では、冷媒と接触する材料の表面積を増加させるために、チューブにフィンを接続することができる。１又はそれよりも多くの構成では、コンデンサ２１４は、流体（空気のような）がコンデンサ２１４を通って流れるのを可能にすることができる。例えば、コイル及び／又はフィンを横切って空気を流すために、コンデンサの近くでファンを作動させることができる。
【００２１】
エバポレータ２１６は、液体状態から気体状態への冷媒の移行を可能にし、かつ／又は、引き起こすことができる。エバポレータ２１６は、冷媒とエバポレータ２１６を囲む空気との間の熱伝達を可能にすることができる。１又はそれよりも多くの構成では、エバポレータ２１６は、冷媒が内部に送られるコイル状のチューブを含むことができる。より熱い空気がエバポレータ２１６を横切って流れることができる。１又はそれよりも多くの構成では、エバポレータ２１６を横切って動く空気は、冷媒をより温かい温度に加熱し、最終的に冷媒を液体状態から気体状態に蒸発させる。エバポレータ２１６を横切って流れている空気を冷却してビークル１００の乗員室内に送るようにすることができる。
【００２２】
膨張弁２１８は、冷媒の圧力が容易に変化するようにすることができる。例えば、膨張弁２１８は、コンデンサ２１４とエバポレータ２１６との間に配置されることができる。１又はそれよりも多くの構成では、膨張弁２１８は、冷媒がコンデンサ２１４からエバポレータ２１６に移動するときに液体冷媒の圧力が急激に低下し温度が低下するのを可能にすることができる。
【００２３】
ＨＶＡＣシステム２００は、ＨＶＡＣシステム２００の１又はそれよりも多くの要素に機械的又は電気的パワーを提供する１又はそれよりも多くのパワー源２２０を含むことができる。１又はそれよりも多くの構成では、パワー源（１又は複数）２２０はバッテリ１０４を含むことができる。代替的又は追加的には、パワー源（１又は複数）２２０は他のパワー源を含むことができる。例えば、パワー源（１又は複数）２２０は、追加のバッテリ及び／又は発電機を含むことができる。
【００２４】
ＨＶＡＣシステム２００は、空気又は流体／ガスの移動を指向させかつ／又は引き起こす１又はそれよりも多くのブロワ２３０を含むことができる。本開示で使用されるように、「空気」は任意のガス状流体を含むことができる。例えば、空気は、ビークル１００内の及び／又は周りの環境ガスを含むことができる。ブロワ（１又は複数）２３０は、ビークル１００の乗員室内への空気の動きを指向させかつ／又は引き起こすことができる。１又はそれよりも多くの構成では、ブロワ（１又は複数）２３０は、ＡＣシステム２１０が作動されているときに、エバポレータ２１６を横切るように空気を動かすことができる。１又はそれよりも多くの構成では、ブロワ（１又は複数）２３０は、一定量の空気を、エバポレータ２１６を通過しエアダクトを通ってビークル１００の乗員室内に入るように動かす、ブロワモータ及び１又はそれよりも多くのファンを含むことができる。例えば、ブロワ（１又は複数）２３０は、エバポレータ２１６を通って流れる冷媒が空気から熱を除去するのを可能にするように、空気をエバポレータ２１６のチューブ及び／又はコイル上に指向させることができる。１又はそれよりも多くの構成では、ブロワ（１又は複数）２３０は、パワートレイン１０２、バッテリ１０４、及び／又は、パワー源（１又は複数）２２０によりパワー供給されることができる。
【００２５】
ＨＶＡＣシステム２００は、ＨＶＡＣシステム２００及び／又はビークル１００に導入されている空気の源を制御する、１又はそれよりも多くの吸入モードスイッチ２４０を含むことができる。１又はそれよりも多くの構成では、吸入モードスイッチ（１又は複数）２４０は、ブロワ（１又は複数）２３０に導入されている空気の源の選択を可能にすることができる。例えば、空気の源は、「フレッシュモード空気源」と称される、乗員室の外部及び／又はビークル１００の外部であることができる。また、空気の源は、「再循環モード空気源」と称される、乗員室内であることができる。１又はそれよりも多くの構成では、吸入モードスイッチ（１又は複数）２４０は、フレッシュモード空気源、再循環モード空気源、及び／又は、両モードの組み合わせの間で空気源選択を変更するのに操作されることができる。
【００２６】
ＨＶＡＣシステム２００は、１又はそれよりも多くのコントローラ２５０を含むことができる。「コントローラ」は、本開示に記載されたプロセスのいずれかを実行するように構成された任意のコンポーネントもしくはコンポーネントのグループ、又は、このようなプロセスを実行するもしくはこのようなプロセスを実行させる任意の形態の命令、を意味する。コントローラ（１又は複数）２５０は、１もしくはそれよりも多くの汎用プロセッサ及び／又は１もしくはそれよりも多くの専用プロセッサで実施されてもよい。適切なプロセッサの例は、マイクロプロセッサ、マイクロコントローラ、ＤＳＰプロセッサ、及び、ソフトウェアを実行可能な他の回路を含む。適切なプロセッサの更なる例は、中央処理ユニット（ＣＰＵ）、アレイプロセッサ、ベクトルプロセッサ、デジタル信号プロセッサ（ＤＳＰ）、フィールドプログラマブルゲートアレイ（ＦＰＧＡ）、プログラマブルロジックアレイ（ＰＬＡ）、特定用途向け集積回路（ＡＳＩＣ）、プログラマブルロジック回路、及び、プロセッサを含み、しかしながらこれらに限定されない。コントローラ（１又は複数）２５０は、プログラムコードの形で含まれる命令を実行するように構成された少なくとも１つのハードウェア回路（例えば、集積回路）を含むことができる。複数のコントローラ２５０がある構成では、このようなコントローラは互いに他から独立して作動することができ、又は、１もしくはそれよりも多くのコントローラは他と組み合わさって作動することができる。
【００２７】
コントローラ２５０は、ＨＶＡＣシステム２００の１又はそれよりも多くの要素を、直接的に又は間接的に、アクティブ化又は非アクティブ化させることができる。本開示で使用されるように、「引き起こすないしさせる」は、直接的もしくは間接的な仕方で、イベントもしくは動作が生ずるようにし又はこれらが生ずるように強制し、強要し、管理し、命令し、指示し、かつ／もしくは、可能にすること、又は、直接的もしくは間接的な仕方で、このようなイベントもしくは動作が生じうる状態に少なくともなるようにし又はこの状態に少なくともなるように強制し、強要し、管理し、命令し、指示し、かつ／もしくは、可能にすること、を意味する。１又はそれよりも多くの構成では、コントローラ（１又は複数）２５０は、ＨＶＡＣ電子制御ユニット（ＥＣＵ）であることができる。１又はそれよりも多くの構成では、コントローラ２５０は、可変コンプレッサ２１２のデューティ又は押し退け量を、直接的又は間接的に、変化させることができる。
【００２８】
ＨＶＡＣシステム２００は、１又はそれよりも多くのタイプのデータを記憶するための１又はそれよりも多くのデータ記憶部２６０を含むことができる。データ記憶部２６０は、揮発性及び／又は不揮発性メモリを含むことができる。適切なデータ記憶部２６０の例には、ＲＡＭ（ランダムアクセスメモリ）、フラッシュメモリ、ＲＯＭ（リードオンリメモリ）、ＰＲＯＭ（プログラマブルリードオンリメモリ）、ＥＰＲＯＭ（消去可能なプログラマブルリードオンリメモリ）、ＥＥＰＲＯＭ（電気的に消去可能なプログラマブルリードオンリメモリ）、レジスタ、磁気ディスク、光ディスク、ハードドライブ、もしくは、任意の他の適切な記憶媒体、又は、これらの組み合わせが含まれる。データ記憶部２６０は、コントローラ（１又は複数）２５０のコンポーネントであることができ、又は、データ記憶部２６０は、コントローラ（１又は複数）２５０による使用のためにコントローラ（１又は複数）２５０に作動可能に接続されることができる。本記載全体を通じて使用されるように、用語「作動可能に接続される」は、直接的又は間接的な接続（直接的な物理的接触なしでの接続を含む）を含むことができる。１又はそれよりも多くの構成では、データ記憶部（１又は複数）２６０は、コントローラ２５０がＨＶＡＣシステム２００の１又はそれよりも多くの要素を作動させるのを可能にする命令を含むことができる。
【００２９】
ＨＶＡＣシステム２００は、１又はそれよりも多くのユーザインタフェース２７０を含むことができる。１又はそれよりも多くの構成では、ユーザインタフェース（１又は複数）２７０は、入力システム及び／又は出力システムを含むことができる。「入力システム」には、情報／データが機械内に入るのを可能にする、任意のデバイス、コンポーネント、システム、要素、もしくは構成、又は、これらのグループが含まれる。入力システムは、ビークルの乗員（例えば、ドライバ又は乗客）から入力を受け取ることができる。例えば、キーパッド、ディスプレイ、タッチスクリーン、マルチタッチスクリーン、ボタン、ジョイスティック、マウス、トラックボール、マイク、及び／又はこれらの組み合わせを含む、任意の適切な入力システムを用いることができる。「出力システム」には、ビークルの乗員（例えば、人、ビークルの乗員、など）に情報／データを提示するのを可能にする、任意のデバイス、コンポーネント、システム、要素、もしくは構成、又は、これらのグループが含まれる。出力システムは、ビークルの乗員に情報／データを提示することができる。出力システムは、ディスプレイを含むことができる。代替的又は追加的には、出力システムは、マイク、イヤフォン、及び／又は、スピーカを含んでもよい。ビークル１００のいくつかのコンポーネントは、入力システムのコンポーネントと出力システムのコンポーネントとの両方として機能してもよい。１又はそれよりも多くの構成では、ユーザインタフェース（１又は複数）２７０はビークルヘッドユニットを含むことができる。
【００３０】
ビークル１００は、１又はそれよりも多くのアクチュエータ２８０を含むことができる。アクチュエータ２８０は、コントローラ（１又は複数）２５０からの信号又は他の入力を受信したことに応答して、ＨＶＡＣシステム２００及び／又はビークル１００の１又はそれよりも多くのコンポーネントを修正し、調節し、かつ／又は、変更するように作動可能な任意の要素又は要素の組み合わせであることができる。任意の適切なアクチュエータを用いることができる。例えば、１又はそれよりも多くのアクチュエータ２８０は、いくつかを単に例示すると、モータ、空気圧アクチュエータ、油圧ピストン、リレー、ソレノイド、及び／又は、圧電アクチュエータを含むことができる。
【００３１】
ＨＶＡＣシステム２００は、１又はそれよりも多くのセンサ２９０を含むことができる。「センサ」は、何らかを検出し、判別し、評価し、監視し、測定し、定量化し、かつ／又は、感知することができる、任意のデバイス、コンポーネント、及び／又は、システムを意味する。１又はそれよりも多くのセンサは、リアルタイムで検出し、判別し、評価し、監視し、測定し、定量化し、かつ／又は、感知することができる。本開示で使用されるように、用語「リアルタイム」は、なされるべき特定のプロセス又は決定に対しユーザ又はシステムが十分即座に感知する処理応答性のレベル、又は、プロセッサがいくつかの外部プロセスに遅れないようにするのを可能にする処理応答性のレベルを意味する。
【００３２】
複数のセンサ２９０がある構成では、センサ２９０は、互いに独立して作動することができる。代替的には、２又はそれよりも多くのセンサが互いに組み合わさって作動することができる。このような場合、２又はそれよりも多くのはセンサネットワークを形成することができる。センサ２９０は、コントローラ（１又は複数）２５０、データ記憶部（１又は複数）２６０、及び／又は、ＨＶＡＣシステム２００の他の要素（図１に示される要素のいずれかを含む）に作動可能に接続されることができる。センサ２９０は、任意の適切なタイプのセンサを含むことができる。本開示には、異なるタイプのセンサの種々の例が記載される。しかしながら、実施態様は、記載された特定のセンサに限定されないことが理解されるであろう。
【００３３】
センサ２９０は、１又はそれよりも多くの水温センサ２９２を含むことができる。水温センサ（１又は複数）２９２は、ロングライフクーラント（ＬＬＣ）としても知られているエンジン冷却水の温度を検知することができる。本開示で使用されるように、「エンジン水」又は「エンジン冷却水」には、ビークル１００のエンジンの１又はそれよりも多くのコンポーネントの冷却に用いられる任意の流体が含まれる。例えば、エンジン水は、水、不凍液、防食流体、グリコール、及び／又は、これらの混合物を含むことができる。水温センサ（１又は複数）２９２は、任意の適切なセンサであることができる。例えば、水温センサ（１又は複数）２９２は、機械的温度計、バイメタルセンサ、サーミスタ、熱電対、抵抗温度計、及び／又は、シリコンバンドギャップセンサを含むことができる。１又はそれよりも多くの構成では、水温センサ（１又は複数）２９２は、ビークルエンジンの内部、上、又は、近くに、少なくとも部分的に配置されることができる。
【００３４】
センサ２９０は、１又はそれよりも多くのビークルピッチセンサ２９４を含むことができる。ビークルピッチセンサ（１又は複数）２９４は、ビークル１００のピッチを感知するように構成されることができる。本開示で使用されるように、「ビークルピッチ」は、ビークル１００の任意の傾き又は傾斜を含む。ビークルピッチは、任意の適切なフォーマットで表されることができる。いくつかの構成では、ビークルピッチは水平に対する傾斜の角度として測定されることができる。例えば、ビークルピッチは、水平基準平面に対するビークルのピッチの量によって感知されることができる。代替的又は追加的には、ビークルピッチはパーセンテージ又は割合として表されることができる。例えば、ビークルピッチは、上昇分を走行分で割り算したパーセンテージ、又は、特定の水平距離に対しビークルのピッチが鉛直方向に増大するパーセンテージ、として算出されることができる。
【００３５】
ビークルピッチセンサ（１又は複数）２９４は、ビークルピッチを感知可能な任意の適切なセンサであることができる。例えば、ビークルピッチセンサ（１又は複数）２９４は、機械的傾角計、デジタル傾角計、傾斜計、加速度計、又は、任意の他の傾斜センサを含むことができる。１又はそれよりも多くの構成では、ビークルピッチセンサ（１又は複数）２９４は、ビークル１００に、ビークル１００上に、又は、ビークル１００の近くに、少なくとも部分的に配置されることができる。いくつかの構成では、ビークルピッチセンサ（１又は複数）２９４は、ビークル１００から分離されることができる。例えば、ビークル１００は、車道のグレードを表す信号をビークル１００の外部から受け取ることができる。いくつかの例では、ビークルは、遠隔のサーバ又はアプリケーションソフトウェアから、ビークルピッチ情報を受信することができる。
【００３６】
ピッチセンサ２９４（１又は複数）は、特定の瞬間（時間）においてビークル１００のピッチを測定するように構成されることができる。感知は、連続的、周期的、又は、ランダムとされることができる。いくつかの構成では、ピッチセンサ２９４（１又は複数）は、将来時間におけるビークル１００のピッチを予測するように構成されることができる。例えば、ピッチセンサ２９４（１又は複数）は、ビークル１００の周りの環境に関する情報（進行する車道のグレードのような）を獲得することができる。
【００３７】
さて、図２を参照すると、ＨＶＡＣシステム２００の一部が示されうる。１又はそれよりも多くの構成では、吸入モードスイッチ２４０は、再循環空気及び／又は新気がシステムに入るのを許容するように動くことができる。例えば、吸入モードスイッチ２４０は、新気のみがブロワ２３０に入るのを許容する第１の位置と、再循環空気のみがブロワ２３０に入るのを許容する第２の位置との間を移動可能なドアを含むことができる。１又はそれよりも多くの構成では、ブロワ２３０は、エバポレータ２１６に向けてかつエバポレータ２１６を通るように空気を動かすようアクティブ化されることができる。１又はそれよりも多くの構成では、ＨＶＡＣシステム２００は、ビークル１００の内部に移動する空気を加熱するヒータコア２３２を含むことができる。空気をヒータコア２３２に向かわせる又はヒータコア２３２から遠ざける空気混合ドア２３４がＨＶＡＣシステム２００に含まれることができる。
【００３８】
１又はそれよりも多くの構成では、或る高エンジン負荷状態において、ビークルのパワートレイン１０２における負荷を低減するために、コンプレッサ２１２は系統的に、オフ状態に切り換えられることができる。例えば、以下に説明されかつ図３から図７に示されるように、高グレード状態により生ずる、高エンジン水温及び高ビークルピッチの間、コンプレッサは、オフ状態に切り換えられることができる。
【００３９】
１又はそれよりも多くの構成では、ＨＶＡＣシステム２００は、或るビークル状態の間、１又はそれよりも多くのＡＣカットサイクルに基づいて作動されることができる。「ＡＣカットサイクル」は、コンプレッサがオン状態にアクティブ化されるべきとき及びオフ状態に非アクティブ化されるべきときの情報を含むことができる。以下に説明されかつ図５から図７に示されるように、ＡＣカットサイクルは、コンプレッサの状態（オン／オフ）を時間の関数として提供することができる。非アクティブ化期間及びアクティブ化期間でもってコンプレッサ２１２を作動することにより、コンプレッサ２１２の継続アクティブ化とは対照的に、パワートレイン１０２に印加される負荷を低減することができる。１又はそれよりも多くの構成では、コントローラ（１又は複数）２５０は、コンプレッサ２１２の作動を制御することができる。例えば、コントローラ（１又は複数）２５０は、１又はそれよりも多くのＡＣカットサイクルと、水温センサ（１又は複数）２９２及び／又はビークルピッチセンサ２９６から受け取った任意の情報と、に基づいて、コンプレッサ２１２を制御することができる。
【００４０】
これまでビークル１００の種々の潜在的なシステム、デバイス、要素、及び／又は、コンポーネントを説明してきたが、ＨＶＡＣシステムを作動させる種々の方法を次に説明する。図３を参照すると、ＨＶＡＣシステムを作動させる方法の第１の例が示される。さて、方法３００の種々の可能なステップを説明する。図３に示される方法３００は図１及び図２に関して上述された実施態様に適用可能でありうるけれども、方法３００は他の適切なシステム及び構成でもって実行可能であることが理解される。更に、方法３００は、本開示に示されない他のステップを含んでもよく、実際、方法３００は、図３に示されるすべてのステップを含むものに限定されない。方法３００の部分として本開示に示されたステップは、この特定の時間的順序に限定されない。実際、いくつかのステップは、示されているものと異なる順序で実施されてもよく、かつ／又は、示されたステップのうちの少なくともいくつかは同時に生じることができる。１又はそれよりも多くの構成では、方法３００の１又はそれよりも多くのステップは、コントローラ（１又は複数）２５０によって実行されることができる。
【００４１】
ブロック３０２では、方法３００は、ＨＶＡＣシステム２００のパワー状態がアクティブ状態にあるかを判別する。本開示で使用されるように、「アクティブ状態」は、ＨＶＡＣシステム２００の１又はそれよりも多くのコンポーネントがビークル１００内の状態を変化させるよう作動可能である任意の状態を含むことができる。例えば、アクティブ状態は、コンプレッサ２１２がアクティブである状態を含むことができる。代替的又は追加的には、コントローラ（１又は複数）２５０に作動可能に接続された１又はそれよりも多くのセンサ２９０が、ＨＶＡＣシステム２００がアクティブ状態にあるかを判別することができる。いくつかの構成では、この判別は、コントローラ（１又は複数）２５０によって行われることができる。ＨＶＡＣシステムのパワー状態がアクティブ状態にないと判別されると、方法３００は次いで終了することができる。代替的に、方法３００はブロック３０２に戻ることができる。ＨＶＡＣシステム２００がアクティブ状態にあると判別されると、方法３００はブロック３０４に続くことができる。
【００４２】
ブロック３０４では、方法３００は、エンジン水温が強制ＨＶＡＣ再循環吸入しきい値を満たすかを判別する。この判別は、例えば、エンジン水温があらかじめ定められた値にほぼ等しいかつ／又はこれよりも高いかを判別することを含むことができる。いくつかの構成では、この判別は、コントローラ（１又は複数）２５０によって行われることができる。更に、この判別は、水温センサ（１又は複数）２９２により受信された情報に基づくことができる。強制ＨＶＡＣ再循環吸入しきい値は、固定値又は範囲の値であることができる。代替的又は追加的には、強制ＨＶＡＣ再循環吸入しきい値は、時間に対して変化することができる。例えば、強制ＨＶＡＣ再循環吸入しきい値は、１又はそれよりも多くの環境又はビークル状態（いくつかを単に例示すると、周囲温度、周囲湿度、周囲圧力、ビークル速度、及び／又は、ビークル位置、のような）に基づいて変化することができる。
【００４３】
強制ＨＶＡＣ再循環吸入しきい値が満たされていないと判別されると、ブロック３０６において、ＨＶＡＣシステム２００はＡＣカットサイクルなしに作動されることができる。したがって、コンプレッサ２１２は、強制的な非アクティブ化期間なしに作動されることができる。１又はそれよりも多くの構成では、コンプレッサ２１２は、オン状態であり続けるように作動されることができる。代替的には、コンプレッサ２１２は、任意の他の要因に基づいて、オン状態とオフ状態との間で切り換えられることができる。例えば、コンプレッサ２１２は、ユーザインタフェース（１又は複数）２７０、客室温度、及び／又は、エバポレータ温度のうちの１又はそれよりも多くに基づいて、オン及びオフに切り換えられることができる。方法３００は、次いで終了することができる。代替的に、方法３００はブロック３０２に戻ることができる。
【００４４】
強制ＨＶＡＣ再循環吸入しきい値が満たされていると判別されると、方法３００は、ブロック３０８において、エンジン水温が高水温しきい値を満たすかを判別すること含むことができる。いくつかの構成では、高水温しきい値は、データ記憶部（１又は複数）２６０に記憶されることができる。高水温しきい値は、固定値又は範囲の値であることができる。代替的又は追加的には、高水温しきい値は、時間に対して変化することができる。コントローラ（１又は複数）２５０は、センサ２９０から受信した情報をデータ記憶部（１又は複数）２６０に記憶されている高水温しきい値と比較して、エンジン水温が高水温しきい値を満たすかを判別するようにすることができる。例えば、水温センサ（１又は複数）２９２によって感知された温度は、高水温しきい値と比較されることができる。いくつかの構成では、水温が高水温しきい値よりも高いかつ／又はこれに等しければ、高水温しきい値が満たされることができる。高水温しきい値は、強制ＨＶＡＣ再循環吸入しきい値よりも高くされることができる。
【００４５】
エンジン水温が高水温しきい値よりも高くないと判別されると、ＨＶＡＣシステム２００は、ブロック３１０においてＡＣカットサイクルなしに作動されることができる。方法３００は、次いで終了することができる。代替的に、方法３００はブロック３０２に戻ることができる。
【００４６】
エンジン水温が高水温しきい値を満たすと判別されると、方法３００は、ブロック３１２に続くことができる。ビークルピッチがビークルピッチしきい値を満たすかが判別されることができる。いくつかの構成では、ビークルピッチしきい値は、データ記憶部（１又は複数）２６０に記憶されることができる。ビークルピッチしきい値は、固定値又は範囲の値であることができる。代替的又は追加的には、ビークルピッチしきい値は、時間に対して変化することができる。ビークルピッチしきい値は、任意の適切な形態をとることができる。例えば、ビークルピッチしきい値は、水平に対する角度であることができる（例えば、１０，１５）。代替的又は追加的には、ビークルピッチしきい値は、パーセンテージであることができる（例えば、１０％，１５％）。コントローラ（１又は複数）２５０は、センサ２９０から受信した情報をデータ記憶部（１又は複数）２６０に記憶されているビークルピッチしきい値と比較して、ビークルピッチがビークルピッチ値を満たすかを判別するようにすることができる。例えば、ビークルピッチセンサ（１又は複数）２９４によって感知されたビークルピッチは、ビークルピッチしきい値と比較されることができる。いくつかの構成では、ビークルピッチがビークルピッチしきい値よりも大きいかつ／又はこれに等しければ、ビークルピッチしきい値が満たされることができる。
【００４７】
ビークルピッチがビークルピッチしきい値を満たさないと判別されると、ブロック３１４において、コンプレッサ２１２は、第１のＡＣカットサイクルにより作動されることができる。いくつかの構成では、第１のＡＣカットサイクルは、コンプレッサ２１２がオフ状態に切り換えられている期間を含むことができる。例えば、第１のＡＣカットサイクルは図５に示されることができる。方法３００は、次いで終了することができる。代替的に、方法３００はブロック３０２に戻ることができる。
【００４８】
ビークルピッチがビークルピッチしきい値を満たすと判別されると、ブロック３１４において、コンプレッサ２１２は、第２のＡＣカットサイクルにより作動されることができる。いくつかの構成では、第２のＡＣカットサイクルは、第１のＡＣカットサイクルと比べて、コンプレッサ２１２がオフ状態にされるべき期間をより長くすることができる。例えば、第２のＡＣカットサイクルは図６に示されることができる。方法３００は、次いで終了することができる。代替的に、方法３００はブロック３０２に戻ることができる。
【００４９】
さて、図４を参照して、ＨＶＡＣシステムを作動させる方法の別の非限定的な例４００を説明する。図４に示される方法４００は図１から図３に関して上述された実施態様に適用可能でありうるけれども、方法４００は他の適切なシステム及び構成でもって実行可能であることが理解される。更に、方法４００は、本開示に示されない他のステップを含んでもよく、実際、方法４００は、図４に示されるすべてのステップを含むものに限定されない。方法４００の部分として本開示に示されたステップは、この特定の時間的順序に限定されない。実際、いくつかのステップは、示されているものと異なる順序で実施されてもよく、かつ／又は、示されたステップのうちの少なくともいくつかは同時に生じることができる。
【００５０】
ブロック４０２では、方法４００は、ＨＶＡＣシステム２００のパワー状態がアクティブ状態にあるかを判別する。本開示で使用されるように、「アクティブ状態」は、ＨＶＡＣシステム２００の１又はそれよりも多くのコンポーネントがビークル１００内の状態を変化させるよう作動可能である任意の状態を含むことができる。例えば、アクティブ状態は、コンプレッサ２１２がアクティブである状態を含むことができる。代替的又は追加的には、コントローラ（１又は複数）２５０に作動可能に接続された１又はそれよりも多くのセンサ２９０が、ＨＶＡＣシステム２００がアクティブ状態にあるかを判別することができる。いくつかの構成では、この判別は、コントローラ（１又は複数）２５０によって行われることができる。ＨＶＡＣシステムのパワー状態がアクティブ状態にないと判別されると、方法４００は次いで終了することができる。代替的に、方法４００はブロック４０２に戻ることができる。ＨＶＡＣシステム２００がアクティブ状態にあると判別されると、方法４００はブロック４０４に続くことができる。
【００５１】
ブロック４０４では、方法４００は、エンジン水温が強制ＨＶＡＣ再循環吸入しきい値を満たすかを判別する。この判別は、例えば、エンジン水温があらかじめ定められた値にほぼ等しいかつ／又はこれよりも高いかを判別することを含むことができる。いくつかの構成では、この判別は、コントローラ（１又は複数）２５０によって行われることができる。更に、この判別は、水温センサ（１又は複数）２９２により受信された情報に基づくことができる。強制ＨＶＡＣ再循環吸入しきい値は、固定値又は範囲の値であることができる。代替的又は追加的には、強制ＨＶＡＣ再循環吸入しきい値は、時間に対して変化することができる。例えば、強制ＨＶＡＣ再循環吸入しきい値は、１又はそれよりも多くの環境又はビークル状態（いくつかを単に例示すると、周囲温度、周囲湿度、周囲圧力、ビークル速度、及び／又は、ビークル位置、のような）に基づいて変化することができる。
【００５２】
強制ＨＶＡＣ再循環吸入しきい値が満たされていないと判別されると、ブロック４０６において、ＨＶＡＣシステム２００はＡＣカットサイクルなしに作動されることができる。したがって、コンプレッサ２１２は、強制的な非アクティブ化期間なしに作動されることができる。１又はそれよりも多くの構成では、コンプレッサ２１２は、オン状態であり続けるように作動されることができる。代替的には、コンプレッサ２１２は、任意の他の要因に基づいて、オン状態とオフ状態との間で切り換えられることができる。例えば、コンプレッサ２１２は、ユーザインタフェース（１又は複数）２７０、客室温度、及び／又は、エバポレータ温度のうちの１又はそれよりも多くに基づいて、オン及びオフに切り換えられることができる。方法４００は、次いで終了することができる。代替的に、方法４００はブロック４０２に戻ることができる。
【００５３】
強制ＨＶＡＣ再循環吸入しきい値が満たされていると判別されると、方法４００は、ブロック４０８において、エンジン水温が高水温しきい値を満たすかを判別すること含むことができる。いくつかの構成では、高水温しきい値は、データ記憶部（１又は複数）２６０に記憶されることができる。高水温しきい値は、固定値又は範囲の値であることができる。代替的又は追加的には、高水温しきい値は、時間に対して変化することができる。コントローラ（１又は複数）２５０は、センサ２９０から受信した情報をデータ記憶部（１又は複数）２６０に記憶されている高水温しきい値と比較して、エンジン水温が高水温しきい値を満たすかを判別するようにすることができる。例えば、水温センサ（１又は複数）２９２によって感知された温度は、高水温しきい値と比較されることができる。いくつかの構成では、水温が高水温しきい値よりも高いかつ／又はこれに等しければ、高水温しきい値が満たされることができる。高水温しきい値は、強制ＨＶＡＣ再循環吸入しきい値よりも高くされることができる。
【００５４】
エンジン水温が高水温しきい値よりも高くないと判別されると、ＨＶＡＣシステム２００は、ブロック４１０においてＡＣカットサイクルなしに作動されることができる。方法４００は、次いで終了することができる。代替的に、方法４００はブロック４０２に戻ることができる。
【００５５】
エンジン水温が高水温しきい値を満たすと判別されると、方法４００は、ブロック４１２に続くことができる。ビークルピッチが第１のビークルピッチしきい値を満たすかが判別されることができる。いくつかの構成では、第１のビークルピッチしきい値は、データ記憶部（１又は複数）２６０に記憶されることができる。第１のビークルピッチしきい値は、固定値又は範囲の値であることができる。代替的又は追加的には、第１のビークルピッチしきい値は、時間に対して変化することができる。第１のビークルピッチしきい値は、任意の適切な形態をとることができる。例えば、第１のビークルピッチしきい値は、水平に対する角度であることができる（例えば、１０，１５）。代替的又は追加的には、第１のビークルピッチしきい値は、パーセンテージであることができる（例えば、１０％，１５％）。コントローラ（１又は複数）２５０は、センサ２９０から受信した情報をデータ記憶部（１又は複数）２６０に記憶されている第１のビークルピッチしきい値と比較して、ビークルピッチが第１のビークルピッチ値を満たすかを判別するようにすることができる。例えば、ビークルピッチセンサ（１又は複数）２９４によって感知された温度は、第１のビークルピッチしきい値と比較されることができる。いくつかの構成では、ビークルピッチが第１のビークルピッチしきい値よりも大きいかつ／又はこれに等しければ、第１のビークルピッチしきい値が満たされることができる。
【００５６】
ビークルピッチが第１のビークルピッチしきい値を満たさないと判別されると、ブロック４１４において、コンプレッサ２１２は、第１のＡＣカットサイクルにより作動されることができる。いくつかの構成では、第１のＡＣカットサイクルは、コンプレッサ２１２がオフ状態に切り換えられている期間を含むことができる。例えば、第１のＡＣカットサイクルは図５に示されることができる。方法４００は、次いで終了することができる。代替的に、方法４００はブロック４０２に戻ることができる。
【００５７】
ビークルピッチが第１のビークルピッチしきい値を満たすと判別されると、ブロック４１６において、ビークルピッチが第２のビークルピッチしきい値を満たすかが判別されることができる。いくつかの構成では、第２のビークルピッチしきい値は、データ記憶部（１又は複数）２６０に記憶されることができる。第２のビークルピッチしきい値は、固定値又は範囲の値であることができる。代替的又は追加的には、第２のビークルピッチしきい値は、時間に対して変化することができる。第２のビークルピッチしきい値は、任意の適切な形態をとることができる。例えば、第２のビークルピッチしきい値は、水平に対する角度であることができる（例えば、１０，１５）。代替的又は追加的には、第２のビークルピッチしきい値は、パーセンテージであることができる（例えば、１０％，１５％）。コントローラ（１又は複数）２５０は、センサ２９０から受信した情報をデータ記憶部（１又は複数）２６０に記憶されている第２のビークルピッチしきい値と比較して、ビークルピッチが第２のビークルピッチ値を満たすかを判別するようにすることができる。例えば、ビークルピッチセンサ（１又は複数）２９４によって感知された温度は、第２のビークルピッチしきい値と比較されることができる。いくつかの構成では、ビークルピッチが第２のビークルピッチしきい値よりも大きいかつ／又はこれに等しければ、第２のビークルピッチしきい値が満たされることができる。第２のビークルピッチしきい値は、第１のビークルピッチしきい値よりも大きくされることができる。例えば、第２のビークルピッチしきい値は、第１のビークルピッチしきい値のビークルピッチ値よりも大きいビークルピッチ値を含むことができる。
【００５８】
ビークルピッチが第２のビークルピッチしきい値を満たさず、しかしながら第１のビークルピッチしきい値を満たすときには、ブロック４１８において、コンプレッサ２１２は第２のＡＣカットサイクルにより作動されることができる。いくつかの構成では、第２のＡＣカットサイクルは、第１のＡＣカットサイクルと比べて、コンプレッサ２１２がオフ状態にされるべき期間をより長くすることができる。例えば、第２のＡＣカットサイクルは図６に示されることができる。方法４００は、次いで終了することができる。代替的に、方法４００はブロック４０２に戻ることができる。
【００５９】
ビークルピッチが第２のビークルピッチしきい値を満たすと判別されると、ブロック４２０において、コンプレッサ２１２は、第３のＡＣカットサイクルにより作動されることができる。いくつかの構成では、第３のＡＣカットサイクルは、第１及び第２のＡＣカットサイクルと比べて、コンプレッサ２１２がオフ状態にされるべき期間をより長くすることができる。例えば、第２のＡＣカットサイクルは図７に示されることができる。方法４００は、次いで終了することができる。代替的に、方法４００はブロック４０２に戻ることができる。
【００６０】
図５は、第１のＡＣカットサイクル５１０を含むチャート５００の一例を示している。第１のＡＣカットサイクルは、時間５３０の関数としてプロットされたコンプレッサ状態５２０を含むことができる。第１のＡＣカットサイクル５１０は、コンプレッサ２１２がオフ状態に切り換えられている、１又はそれよりも多くのあらかじめ定められた期間を含むことができる。いくつかの構成では、第１のＡＣカットサイクル５１０は、交互にアクティブ化及び非アクティブ化されたコンプレッサ状態を含むことができる。例えば、コンプレッサ２１２は、コンプレッサ２１２がアクティブ化されている期間同士の間において、あらかじめ定められた期間ｔ１にわたり、オフ状態に非アクティブ化されることができる。図５に示されるように、コンプレッサ２１２がオフに切り換えられている期間ｔ１は、長さが互いにほぼ等しくされることができる。代替的に、期間ｔ１は時間に対して変化することができる。更に、コンプレッサ２１２がオンに切り換えられている期間は、長さが互いにほぼ等しくされることができ、又は、時間に対して変化することができる。
【００６１】
図６は、第２のＡＣカットサイクル６１０を含むチャート６００の一例を示している。第２のＡＣカットサイクルは、時間６３０の関数としてプロットされたコンプレッサ状態６２０を含むことができる。第２のＡＣカットサイクル６１０は、コンプレッサ２１２がオフ状態に切り換えられている、１又はそれよりも多くのあらかじめ定められた期間を含むことができる。いくつかの構成では、第２のＡＣカットサイクル６１０は、交互にアクティブ化及び非アクティブ化されたコンプレッサ状態を含むことができる。例えば、コンプレッサ２１２は、コンプレッサ２１２がアクティブ化されている期間同士の間において、あらかじめ定められた期間ｔ２にわたり、オフ状態に非アクティブ化されることができる。いくつかの構成では、第２のＡＣカットサイクル６１０の期間ｔ２は、第１のＡＣカットサイクル５１０の期間ｔ１よりも長くされることができる。したがって、コンプレッサ２１２は、第２のＡＣカットサイクル６１０において、より長い期間にわたり、非アクティブ化されることができる。図６に示されるように、コンプレッサ２１２がオフに切り換えられている期間ｔ２は、長さが互いにほぼ等しくされることができる。代替的に、期間ｔ２は時間に対して変化することができる。更に、コンプレッサ２１２がオンに切り換えられている期間は、長さが互いにほぼ等しくされることができ、又は、時間に対して変化することができる。
【００６２】
図７は、第３のＡＣカットサイクル７１０を含むチャート７００の一例を示している。第３のＡＣカットサイクルは、時間７３０の関数としてプロットされたコンプレッサ状態７２０を含むことができる。第３のＡＣカットサイクル７１０は、コンプレッサ２１２がオフ状態に切り換えられている、１又はそれよりも多くのあらかじめ定められた期間を含むことができる。例えば、コンプレッサ２１２は、図７の例に示されるように、第３のＡＣカットサイクルの全継続期間にわたり、オフ状態に非アクティブ化されることができる。
【００６３】
２つ又は３つのＡＣカットサイクルを備えた構成が説明されたけれども、コンプレッサ２１２を作動させるのに任意の数のＡＣカットサイクルを使用可能であることが理解されるべきである。例えば、コンプレッサ２１２がオフ状態に切り換えられている期間が互いに異なる、より多くのＡＣカットサイクルを用いることができる。更に、１又はそれよりも多くのＡＣカットサイクルを適用するために、任意の数のビークルピッチしきい値を用いることができる。例えば、より多数のＡＣカットサイクルを提供するにあたり、より多数のビークルピッチしきい値を用いることができる。
【００６４】
本開示に記載された構成が多くの利点（本開示で述べられた利点のうちの１又はそれよりも多くを含む）を提供できることが理解されるであろう。本開示に記載された構成は、ビークルＨＶＡＣシステムのための要求エンジントルクを低減することができる。例えば、或る状態の間、コンプレッサは、エンジンの負荷を低下させるＡＣカットサイクルにより作動されることができる。ＡＣカットサイクルは、コンプレッサがオフ状態に切り換えられている、１又はそれよりも多くの期間を含むことができる。構成は、要求されるエンジントルク、エンジン水温、及び、排気ガス温度を低下することができる。このことは、排出コンポーネントを取り囲む部品に対する熱損傷の低減、より低いエンジン温度による増大されたけん引能力、及び、燃料消費の減少をもたらすことができる。このような構成は、ターボチャージャ付きエンジンに対し特に有用であることができる。というのも、ターボチャージャ付きエンジンは、高エンジン負荷において増大された熱負荷を有するとともに追加の冷却能力を必要とするからである。本開示に記載の構成は、追加の冷却熱交換を除去又は低減することができ、このことは、パッケージ及び安全（小さなオーバラップ及び歩行者衝突状態におけるような）を改善することができる。
【００６５】
図面におけるローチャート及びブロック線図は、種々の実施態様に係るシステム、方法、及び、コンピュータプログラム製品の可能な実施の、アーキテクチャ、機能性、及び、作用を示している。これに関し、フローチャート又はブロック線図における各ブロックは、特定の論理機能（１又は複数）を実施するための１又はそれよりも多くの実行可能な命令を備える、モジュール、セグメント、又はコードの部分を代表してもよい。また、記載されるべきは、いくつかの代替的実施態様では、ブロック内に記載された機能が図面に記載された順序とは異なって生じてもよい、ことである。例えば、関連する機能性に依存して、連続して示される２つのブロックが、実際、ほぼ同時に実行されてもよく、又は、これらブロックが時々逆の順で実行されることができる。
【００６６】
上述のシステム、コンポーネント、及び／又は、プロセスは、ハードウェア、又は、ハードウェア及びソフトウェアの組み合わせで実現可能であるとともに、１つの処理システムにおける集中化した仕方で、又は、異なる要素がいくつかの相互接続された処理システムにわたり分散されている、分散された仕方で、実現可能である。本開示に記載された方法を実行するのに適した、任意の種類の処理システム又は他の装置が適している。ハードウェア及びソフトウェアの典型的な組み合わせは、コンピュータ使用可能プログラムコードであって、読み込まれ実行されると、処理システムが本開示に記載の方法を実行するように処理システムを制御するプログラムコードを備えた処理システムであることができる。また、システム、コンポーネント、及び／又は、プロセスは、機械であって、本開示に記載の方法及びプロセスを実行するために機械により実行可能な命令のプログラムを実体的に具現化する機械によって読み取り可能な、コンピュータ可読記憶部（コンピュータプログラム製品又は他のデータプログラム記憶デバイスのような）に組み込まれることができる。また、これらの要素は、本開示に記載の方法が実行されるのを可能にするすべての特徴を備えるアプリケーション製品であって、処理システムに読み込まれるとこれらの方法を実行可能なアプリケーション製品に組み込まれることができる。
【００６７】
更に、本開示に記載の構成は、コンピュータ可読プログラムコードが具現化された又は組み入れた（例えば、記憶された）１又はそれよりも多くのコンピュータ可読媒体に具現化されたコンピュータプログラム製品の形態をとってもよい。１又はそれよりも多くのコンピュータ可読媒体の任意の組み合わせが利用されてもよい。コンピュータ可読媒体は、コンピュータ可読信号媒体又はコンピュータ可読記憶媒体であってよい。句「コンピュータ可読記憶媒体」は、非一時的な記憶媒体意味する。コンピュータ可読記憶媒体は、例えば、電子的、磁気的、光学的、電磁的、赤外、もしくは、半導体の、システム、装置、もしくは、デバイス、又は、これらの任意の適切な組み合わせであってよく、しかしながらこれらに限定されない。コンピュータ可読記憶媒体のより具体的な例（非網羅的なリスト）は、１又はそれよりも多くのワイヤを有する電気的接続、ポータブルコンピュータディスケット、ハードディスクドライブ（ＨＤＤ）、ソリッドステートドライブ（ＳＳＤ）、ランダムアクセスメモリ（ＲＡＭ）、リードオンリメモリ（ＲＯＭ）、消去可能なプログラマブルリードオンリメモリ（ＥＰＲＯＭもしくはフラッシュメモリ）、光ファイバ、ポータブルコンパクトディスクリードオンリメモリ（ＣＤ−ＲＯＭ）、デジタルバーサタイルディスク（ＤＶＤ）、光学記憶デバイス、磁気記憶デバイス、又は、これらの任意の適切な組み合わせを含むであろう。この書面の文脈では、コンピュータ可読記憶媒体は、命令を実行するシステム、装置、もしくはデバイスによって使用されるためのプログラム、又は、命令を実行するシステム、装置、もしくはデバイスと組み合わされるプログラムを含む又は記憶することが可能な任意の実体的媒体であってよい。
【００６８】
本開示で使用されるように、用語「１」ないし「１つ」は、１又はそれよりも多いとして定義される。本開示で使用されるように、用語「複数」は、２又はそれよりも多いとして定義される。本開示で使用されるように、用語「別の」ないし「他の」は、少なくとも２番目又はそれ以降として定義される。本開示で使用されるように、用語「含む」及び／又は「有する」は、備えること（非限定的な語法）として定義される。本開示で使用されるように、用語「少なくとも１つの…及び…」は、関連する列記されたアイテムのうちの１又はそれよりも多くの、任意のかつすべての可能な組み合わせを参照して包含する。一例として、句「Ａ、Ｂ及びＣのうちの少なくとも１つ」には、Ａのみ、Ｂのみ、Ｃのみ、又は、これらの任意の組み合わせ（例えば、ＡＢ、ＡＣ、ＢＣ、ＡＢＣ）が含まれる。
【００６９】
本開示の観点を、その精神又は本質的属性から逸脱することなく、他の形態でもって具現化することができる。したがって、本発明の範囲を示すものとして、上述の明細書よりも、以下の特許請求の範囲が参照されるべきである。
【００７０】
［例１］
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を含む方法。
［例２］
前記ＡＣカットサイクルが第１のＡＣカットサイクルであり、前記あらかじめ定められた期間が第１のあらかじめ定められた期間であり、前記方法は更に、
前記ビークルピッチが前記ビークルピッチしきい値を満たすと判別したことに応答して、第２のＡＣカットサイクルに基づき前記コンプレッサを作動させる段階であって、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、段階、
を含む、例１に記載の方法。
［例３］
前記ビークルピッチしきい値が第１のビークルピッチしきい値であり、前記方法は更に、
前記ビークルピッチが第２のビークルピッチしきい値を満たすかを判別する段階と、
前記ビークルピッチが前記第２のビークルピッチしきい値を満たすと判別したことに応答して、第３のＡＣカットサイクルに基づき前記コンプレッサを作動させる段階であって、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、段階と、
を含む、例２に記載の方法。
［例４］
前記第１、第２、及び、第３のＡＣカットサイクルのそれぞれは、時間の関数としてコンプレッサ状態を含む、例３に記載の方法。
［例５］
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、例４に記載の方法。
［例６］
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、例５に記載の方法。
［例７］
前記第３のＡＣカットサイクルは、前記コンプレッサが前記第３のＡＣカットサイクルにより作動されている全継続期間にわたり、前記コンプレッサを前記オフ状態に切り換えることを含む、例６に記載の方法。
［例８］
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、例１に記載の方法。
［例９］
ビークルの暖房換気空調（ＨＶＡＣ）システムであって、
エンジン水温を測定するように作動可能な水温センサと、
ビークルピッチを測定するように作動可能なビークルピッチセンサと、
オン状態とオフ状態との間で作動可能なコンプレッサと、
前記水温センサ、前記ビークルピッチセンサ、及び前記コンプレッサに作動可能に接続されたコントローラであって、前記コントローラは、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を実行するようにプログラムされたコントローラと、
を備える、システム。
［例１０］
前記ＡＣカットサイクルが第１のＡＣカットサイクルであり、前記あらかじめ定められた期間が第１のあらかじめ定められた期間であり、前記コントローラは更に、
前記ビークルピッチが前記ビークルピッチしきい値を満たすと判別したことに応答して、第２のＡＣカットサイクルに基づき前記コンプレッサを作動させること、
を実行するようにプログラムされており、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、
例９に記載のシステム。
［例１１］
前記ビークルピッチしきい値が第１のビークルピッチしきい値であり、前記コントローラは更に、
前記ビークルピッチが第２のビークルピッチしきい値を満たすかを判別することと、
前記ビークルピッチが前記第２のビークルピッチしきい値を満たすと判別したことに応答して、第３のＡＣカットサイクルに基づき前記コンプレッサを作動させることと、
を実行するようにプログラムされており、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
例１０に記載のシステム。
［例１２］
前記第１、第２、及び、第３のＡＣカットサイクルのそれぞれは、時間の関数としてコンプレッサ状態を含む、例１１に記載のシステム。
［例１３］
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、例１２に記載のシステム。
［例１４］
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、例１３に記載のシステム。
［例１５］
前記第３のＡＣカットサイクルは、前記コンプレッサが前記第３のＡＣカットサイクルにより作動されている全継続期間にわたり、前記コンプレッサを前記オフ状態に切り換えることを含む、例１４に記載のシステム。
［例１６］
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、例９に記載のシステム。
［例１７］
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することを含み、
前記エンジン水温が前記強制ＨＶＡＣ再循環吸入しきい値を満たすと判別したことに応答して、前記エンジン水温が高水温しきい値を満たすかを判別することを含み、
前記エンジン水温が前記高水温しきい値を満たすと判別したことに応答して、
ビークルピッチが第１のビークルピッチしきい値を満たすかを判別することと、
ビークルピッチが第２のビークルピッチしきい値を満たすかを判別することと、
を含み、
前記ビークルピッチが前記第１又は前記第２のビークルピッチしきい値を満たさないと判別したことに応答して、第１のＡＣカットサイクルに基づき前記コンプレッサを作動させることを含み、前記第１のＡＣカットサイクルは、前記コンプレッサが前記オフ状態に切り換えられている第１のあらかじめ定められた期間を含み、
前記ビークルピッチが前記第１のビークルピッチしきい値を満たしかつ前記第２のビークルピッチしきい値を満たさないと判別したことに応答して、第２のＡＣカットサイクルに基づき前記コンプレッサを作動させることを含み、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長く、
前記エンジン水温が前記第１及び第２のビークルピッチしきい値を満たすと判別したことに応答して、第３のＡＣカットサイクルに基づき前記コンプレッサを作動させることを含み、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
方法。
［例１８］
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、例１７に記載の方法。
［例１９］
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、例１８に記載の方法。
［例２０］
前記第３のＡＣカットサイクルは、前記コンプレッサが前記第３のＡＣカットサイクルにより作動されている全継続期間にわたり、前記コンプレッサを前記オフ状態に切り換えることを含む、例１９に記載の方法。
【図１】
2018065556.tif 000003
【図２】
2018065556.tif 000004
【図３】
2018065556.tif 000005
【図４】
2018065556.tif 000006
【図５】
2018065556.tif 000007
【図６】
2018065556.tif 000008
【図７】
2018065556.tif 000009
【外国語明細書】
2018065556000001.pdf